(57)【要約】【課題】開口を繰り返し開閉することが容易であり、開口を閉じた状態で密閉性を有すること。【解決手段】非通気性シートからなる前後壁２、３、内側に折り込まれた両側壁４、５、及び底壁６を有する手提袋において、両側壁の上縁４a、５aは前後壁の上縁２a、３aよりも若干低く形成され、前後壁の上縁部分はその全幅にわたり前後で密着係合可能な線状ファスナー８を設けてある。非通気性シートは、ポリプロピレン製である。手提袋が、内側にポケットを有する。前後壁はそれぞれ提手１０を有する。【選択図】        図１
0003112220.tif 000002
【実用新案登録請求の範囲】
【請求項１】
非通気性シートからなる前後壁、内側に折り込まれた両側壁、及び底を有する手提袋において、前記両側壁の上縁は前記前後壁の上縁よりも若干低く形成され、前記前後壁の上縁部分はその全幅にわたり前後で密着係合可能な線状ファスナーを設けてある密閉型手提袋。
【請求項２】
請求項１記載の密閉型手提袋において、前記非通気性シートは、ポリプロピレン製であることを特徴とする密閉型手提袋。
【請求項３】
請求項１、又は請求項２記載の密閉型手提袋において、前記手提袋が、内側にポケットを有することを特徴とする密閉型手提袋。
【請求項４】
請求項１、請求項２、又は請求項３記載の密閉型手提袋において、前記前後壁はそれぞれ提手を有することを特徴とする密閉型手提袋。
【請求項５】
請求項１、請求項２、又は請求項３記載の密閉型手提袋において、前記前後壁の上縁部分は内側へ折返されており、前記折返し部分に提手が取付けられていることを特徴とする密閉型手提袋。
【考案の詳細な説明】
【技術分野】
【０００１】
本考案は、買い物袋などの袋が気密性を具えた構成の密閉型手提袋に関する。
【背景技術】
【０００２】
従来の技術には、袋の開口部を閉じるようにしたものとして、例えば特許文献１記載のものがある。その概略の構成は、袋上端縁近傍の前壁又は後壁の外面に開口部閉鎖用の口封テープを上端部が袋の上端縁より突出するように取り付け、封口テープの突出した部分に剥離紙を添着してなるものである。
【特許文献１】実開昭６２−２０３８３５号公報
【考案の開示】
【考案が解決しようとする課題】
【０００３】
前記従来の開口部閉鎖用の口封テープを使用して閉鎖した袋は、封口テープを取り外して袋を再使用することが困難である。また、提手を使用する場合に前後壁に設けたスリットを通して外部に引き出すため密閉性を要する場合には不向きである。
本考案は、開口を繰り返し開閉することが容易であり、開口を閉じた状態で密閉性を有する密閉型手提袋の提供を課題とする。
【課題を解決するための手段】
【０００４】
本考案の手段は、非通気性シートからなる前後壁、内側に折り込まれた両側壁、及び底を有する手提袋において、前記両側壁の上縁は前記前後壁の上縁よりも若干低く形成され、前記前後壁の上縁部分はその全幅にわたり前後で密着係合可能な線状ファスナーを設けてある（請求項１）。
【０００５】
この手段では、袋が非通気性シートからなるものであり、前後壁の上縁部分がその全幅にわたりファスナーで開閉可能であるから、閉じることによって袋を密閉状態とすることができ、また開閉を繰り返し行うことができるから、再使用に支障はない。非通気性シートとしては、ポリエチレン、ポリプロピレン、塩化ビニル等のシート、また樹脂コーティング布などを使用可能である。
【０００６】
前記非通気性シートは、ポリプロピレン製である構成とするのがよい（請求項２）。この構成では、袋を廃棄処分するときに焼却しても毒性のガスが生じることはなく、環境汚染ガスの発生が少ない。
【０００７】
前記手提袋が、内側にポケットを有する構成とするのがよい（請求項３）。この構成では、使用時に用途に応じてドライアイスなどのような低温を保持するための冷材もしくは低温材、また、逆に暖かい温度に保持するための温材もしくは発熱材をポケットに入れておくことができ、袋内容物の冷蔵効果又は保温効果が得られる。また、この他にも衣料品などの贈り物を入れる袋として使用するときにポケットに香料を入れておくことができ、贈り先に喜ばれ贈り物を引き立てる効果がある。
【０００８】
前記前後壁はそれぞれ提手を有する構成とするのがよい（請求項４）。この構成では通常の買い物袋としてより便利な密閉型開閉口付のものとして使用できる。前記前後壁の上縁部分は内側へ折返されており、前記折返し部分に提手が取付けられている構成とするのがよい（請求項５）。この構成では丈夫な提手を取付けることができる。
【考案の効果】
【０００９】
請求項１に記載の考案は、密閉可能な構成でありながら繰り返し再開閉使用ができる効果を奏する。
請求項２に記載の考案は、袋を廃棄処分するときに焼却しても環境汚染ガスの発生が少ない効果を奏する。
請求項３記載の考案は、冷材もしくは低温材をポケットに入れておくことによって冷蔵効果を奏し、また温材もしくは発熱材をポケットに入れておくことによって保温効果を奏する。また、衣料品などの贈り物を入れる袋として使用するときにポケットに香料を入れておくことによって、贈り先に喜ばれ贈り物を引き立てる効果を奏する。
請求項４に記載の考案は、通常の買い物袋としてより便利な密閉型開閉口付きのものとして使用できる効果を奏する。
請求項５に記載の考案は、丈夫な提手を取付けることができて比較的重いものを入れて使用できる効果を奏する。
【実施例１】
【００１０】
本考案の１実施例を図１、図２によって説明する。この手提袋１は、非通気性シートとしてポリプロピレン製シートを用い、図１に見られるように、上方に開口した直方体容器状の袋を形成し、つまり連続したそれぞれ４角形の前後壁２、３、両側壁４、５、底壁６を有するものとし、両側壁４、５をそれぞれ縦の折り曲げ線７に沿って二つ折にして内側に折り込み、両側壁上端縁を前後壁上端縁２ａ、３ａよりも約１ｃｍ程度低くしてある。これは前後壁上端縁２ａ、３ａに線状ファスナー８を取付けるためのものであり、使用する線状ファスナー８の幅寸法に対応する。線状ファスナー８は、周知のもので、可撓性合成樹脂で形成され、対を成す細幅ベルト状の一方ものが線状の凸部を有し他方のものがこれに対応して前記凸状部に弾性的に噛み合って係合状態となる線状の凹部を有するものである。線状ファスナー８は一方が前壁上端縁２ａの部分に、他方が後壁上端縁３ａの部分に熱溶着などにより接着固定されている。双方の細幅ベルト状部の凸部と凹部とを向かい合わせて押圧することにより線状ファスナー８の係合状態が得られ、その解放は双方の細幅ベルト状部を引き離すことによって行われる。
【００１１】
手提袋１は、内側に、例えば後壁３の内側面にポケット９を設けてある。ポケット９は、必要に応じて保冷のためのドライアイスや、保温のための市販の空気に触れて発熱する発熱材などを収容できる程度の大きさである。また、手提袋１には、例えば前後壁２、３に提手１０、１０を設けてある。提手１０は、例えば、合成繊維性編み紐を適当な長さに切断したものを用い、前後壁２、３の上縁近くに２個ずつ穿設した円孔１１に外側から挿通して内側の端部に結び瘤を形成し抜け止め部１２としたものである。
【００１２】
この手提袋１は、図１に見られる線状ファスナー８を両側に開いた開口状態で、その開口から物を入れ、必要に応じてポケット９にドライアイスなどを入れ、線状ファスナー８を閉じて図２に見られるように開口を閉じた状態として用いる。ファスナー８を閉じた状態の手提袋１は、袋が非通気性材料で形成されており、ファスナー部分には密閉性があり、両側壁４、５のそれぞれに二つ折りにされた上端縁部４ａ、５ａはファスナー８に沿った位置の前後壁上端縁部２ａ、３ａで挟まれて規制され、ほとんど気密に近い状態である。従って、収容物の比較的簡単な保温又は保冷などには最適である。また、保温や保冷以外にも、例えば、匂いが強い漬物、魚の干物などを入れて持ち運ぶ場合に使用してほとんど臭気が外部に漏れないようにもできる。
【００１３】
前記実施例において、提手１２は袋内の空気がより出入りしないように円孔１１を穿設しないで合成樹脂製の細幅ベルト状のものを袋の壁面に熱溶着した取り付け構造であってもよい。また、前記前後壁の上縁部分は内側へ折返して強度を増し、この部分に比較的丈夫な提手を取付けた構成としてもよい。また、底は底壁６を省略した形で両側壁を内側に折込みこれを挟むように前後壁の下端縁を溶着接合した構成であってもよく、底の形状は本考案においては密閉構造であればよく特に制限されない。
【産業上の利用可能性】
【００１４】
密閉型であるから、衣料品、食品、菓子類などを入れる買い物袋として利用できるほか、贈り物の包装袋としても利用可能である。
【図面の簡単な説明】
【００１５】
【図１】本発明の１実施例を示す斜視図である。
【図２】同実施例の概略正面中央縦断面図である。
【符号の説明】
【００１６】
１            手提袋
２            前壁
２ａ          前壁上端縁
３            後壁
３ａ          後壁上端縁
４、５        側壁
４ａ、５ａ    側壁上端縁
６            底壁
７            折り曲げ線
８            線状ファスナー
９            ポケット
１０          提手
１１          円孔
１２          抜け止め部
【図１】
0003112220.tif 000003
【図２】
0003112220.tif 000004